(57)【要約】【課題】家電機器ごとの消費電力を測定し電力線搬送波通信により送受信することのできる電力測定システムを提供する。【解決手段】家電機器１６０ａ〜ｙと、電力線１７０、１７０ａ〜ｚと、家電機器１６０ａ〜ｙの消費電力および累積消費電力を測定し測定した各々の時刻とともに電力測定結果として出力する個別電力計１２０ａ〜ｙと、電力測定結果を電力線１７０、１７０ａ〜ｚに送信する第１の電力線搬送波通信モデム１５０ａ〜ｙと、電力測定結果を第１の電力線搬送波通信モデム１５０ａ〜ｙから送信させる旨の電力測定結果送信要求を出力する管理端末１１０と、電力測定結果送信要求を第１の電力線搬送波通信モデム１５０ａ〜ｙに送信する第２の電力線搬送波通信モデム１５０ｚとを具備し、管理端末１１０は、電力測定結果に基づいて、任意の期間の累積消費電力を算出する電力測定システムおよび測定方法である。【選択図】図１
2007225374.tif 000002
【特許請求の範囲】
【請求項１】
１つ以上の家電機器のそれぞれに対応して設けられて該家電機器の消費電力を測定する個別電力計と、
前記個別電力計のそれぞれと電力線を介して通信することにより、各測定結果を蓄積する管理端末とを備えたことを特徴とする電力測定システム。
【請求項２】
請求項１に記載の電力測定システムにおいて、
前記個別電力計は、対応する家電機器の瞬間消費電力および累積消費電力を測定し、前記瞬間消費電力および前記累積消費電力を測定した各々の時刻とともに電力測定結果とし、
前記管理端末は、各前記個別電力計の前記電力測定結果に基づいて、任意に指定された２つの時刻により定まる期間の累積消費電力を、前記２つの時刻にそれぞれ測定された前記累積消費電力の差から算出することを特徴とする電力測定システム。
【請求項３】
請求項１または２に記載の電力測定システムにおいて、
前記個別電力計および前記管理端末は、電力線通信搬送波通信を行うことのできる電力線搬送波通信モデムを備え、
前記電力搬送波通信モデムは、前記電力測定結果をパケットにより送受信する電力測定システム。
【請求項４】
請求項１から３いずれかに記載の電力測定システムにおいて、
前記管理端末は、前記個別電力計に前記電力測定結果の出力を定期的に要求する電力測定システム。
【請求項５】
請求項１から４いずれかに記載の電力測定システムにおいて、
前記管理端末は、前記電力測定結果および任意に指定された２つの時刻により定まる期間の前記累積消費電力を表示させる表示部を有する電力測定システム。
【請求項６】
１つ以上の家電機器と、各該家電機器に対応して設けられて該家電機器の消費電力を測定する個別電力計とを、該個別電力計のそれぞれと電力線を介して通信することにより、各測定結果を蓄積する管理端末とを備えた電力測定システムの測定方法であって、
前記個別電力計で行われる、前記個別電力計に対応する家電機器の瞬間消費電力および累積消費電力を測定し、前記瞬間消費電力および前記累積消費電力を測定した各々の時刻とともに電力測定結果として出力するステップと、
前記管理端末で行われる、各個別電力計の前記測定結果に基づいて、任意に指定された２つの時刻により定まる期間の累積消費電力を、前記２つの時刻にそれぞれ測定された前記累積消費電力の差から算出するステップとを備えたことを特徴とする電力測定システムの測定方法。
【発明の詳細な説明】
【技術分野】
【０００１】
本発明は、電力測定に係り、特に家電機器ごとの消費電力測定に関する。
【背景技術】
【０００２】
従来家庭で用いられる商用電源の消費電力の測定は、契約している電力会社が戸別に設置した積算電力計により世帯ごとに行っていた。
【０００３】
図示しない柱状変圧器で降圧され１００Ｖ５０Ｈｚまたは６０Ｈｚの商用電源になった電力は、図２に示すように、電力会社の設置した積算電力計２９０を介して分電盤２８０に供給される。
【０００４】
分電盤２８０に供給された電力は、電力線２７０を介して家屋内に設けられた宅内コンセント２７５ａ〜ｚにそれぞれ分配され、各宅内コンセント２７５ａ〜ｚから家電機器２６０ａ〜ｚにそれぞれ供給される。供給された電力は、家電機器２６０ａ〜ｚが稼働することにより消費される。
【０００５】
従来は、設置された積算電力計２９０によって世帯ごとの累積消費電力を測定し、測定された累積消費電力が積算電力計２９０に表示されていた。
【０００６】
積算電力計２９０に表示された累積消費電力は、電力会社の派遣する検針員によって定期的に記録される。
【０００７】
電力会社は、検針員の定期的な検針により記録された累積消費電力に基づいて、定期検針の間に使用された消費電力に応じた電気料金の徴収を行っていた。
【０００８】
特許文献１（特許第３０３５８９０号公報）に開示されている電力消費量モニターは、図２の分電盤２８０に相当する分電盤３で消費される電気エネルギーの消費量を計測する計測部と、計測部で計測した計測値を表示させる表示部とを有して、電力消費量のモニターを行っている。
【特許文献１】特許第３０３５８９０号公報
【発明の開示】
【発明が解決しようとする課題】
【０００９】
ここで、世帯ごとの戸別の消費電力は、使用している家電機器２６０ａ〜ｚが異なったり、世帯の構成が異なったり、世帯の生活パターンが異なることなど種々の要因により、電力を多く使用する時間帯が異なったりして一様ではない。
【００１０】
高齢者が終日在宅するような家庭では、冬の日中に炬燵、電気カーペットまたはハロゲンランプを用いたヒータなどの暖房器具の長時間の使用による電力使用量が多いといった特長がある。
【００１１】
また夫婦が日中ともに勤めに出ている家庭では、日中冷蔵庫などによる電力の消費などがあるものの、消費電力の大部分は帰宅後の夕刻、夜間や出勤前の早朝に集中する。
【００１２】
このため、従来の積算電力計２９０による消費電力の測定では、測定できる消費電力は世帯ごとの単位に限られ、それも世帯ごとの累積消費電力に限られていた。
【００１３】
また、特許文献１に開示された従来の電力消費量モニターは、分電盤２８０で消費される瞬時値、日積算値は測定できるものの、使用される個々の家電機器２６０ａ〜ｚの消費電力の多寡を測定することはできないという問題があった。
【００１４】
従来の消費電力の測定では、各々の家電機器２６０ａ〜ｚの単位時間あたりの消費電力を測定できないという問題があった。
【００１５】
従来の消費電力の測定では、各々の家電機器２６０ａ〜ｚについて、どういった使い方をしているときに消費電力が多く、どういった使い方をしているときに消費電力が少ないのかといった傾向を調査する際の消費電力の測定ができないという問題があった。
【００１６】
このように、従来の電力測定のシステムは、消費電力の多い家電機器２６０ａ〜ｚを特定したり、特定された消費電力の多い家電機器２６０ａ〜ｚに対して節電対策を講じるような測定や用途には不向きであった。
【００１７】
そこで本発明の目的は、家電機器ごとの消費電力を測定し、電力測定結果を電力線搬送波通信により送受信することのできる電力測定システムを提供することにある。
【課題を解決するための手段】
【００１８】
上記目的を達成するために、本発明の電力測定システムの第１の発明は、１つ以上の家電機器のそれぞれに対応して設けられて該家電機器の消費電力を測定する個別電力計と、
前記個別電力計のそれぞれと電力線を介して通信することにより、各測定結果を蓄積する管理端末とを備えたことを特徴とする電力測定システムである。
【００１９】
本発明は、商用電源を供給する電力線に接続され電力の供給を受けて稼働する家電機器の瞬間消費電力および累積消費電力を、家電機器に個別電力計を接続し、各個別電力計による測定結果を管理端末が蓄積するので、該蓄積結果を解析することで各家電機器の電力消費傾向が分かる。
【００２０】
第２の発明は、第１の発明に記載の電力測定システムにおいて、
請求項１に記載の電力測定システムにおいて、
前記個別電力計は、対応する家電機器の瞬間消費電力および累積消費電力を測定し、前記瞬間消費電力および前記累積消費電力を測定した各々の時刻とともに電力測定結果とし、
前記管理端末は、各前記個別電力計の前記電力測定結果に基づいて、任意に指定された２つの時刻により定まる期間の累積消費電力を、前記２つの時刻にそれぞれ測定された前記累積消費電力の差から算出するものである。
【００２１】
管理端末は、電力線搬送波通信モデムから送信された電力測定結果を集計し、各時刻の各家電機器の瞬間消費電力を得て、各時刻の各家電機器の累積消費電力を得て、単位時間当たりの累積消費電力を各家電機器ごとに算出する。
【００２２】
第３の発明は、第１または２の発明に記載の電力測定システムにおいて、
前記個別電力計および前記管理端末は、電力線通信搬送波通信を行うことのできる電力線搬送波通信モデムを備え、
前記電力搬送波通信モデムは、前記電力測定結果をパケットにより送受信するものである。
【００２３】
個別電力計で測定された家電機器の個別の電力測定結果は、個別電力計から電力線搬送波通信モデムにそれぞれ出力され、管理端末の電力測定結果の送信要求に応じて、電力線搬送波通信モデム、電力線を介して管理端末に送信される。
【００２４】
電力測定結果の送受信は、パケットにより行われることにより、電力測定結果を迅速かつ正確に送ることができる。
【００２５】
各電力線搬送波通信モデムから送信するパケットには、それぞれパケットを送信した電力線搬送波通信モデムを示す発信元が記載されている。
【００２６】
パケットの発信元の記載により、各パケットは、電力線搬送波通信モデムに対応する個別電力計からの電力測定結果を含んでいることを示している。
【００２７】
第４の発明は、第１から３の発明いずれかに記載の電力測定システムにおいて、
前記管理端末は、前記個別電力計に前記電力測定結果の出力を定期的に要求するものである。
【００２８】
管理端末が個別電力計へ電力測定結果の出力要求を定期的に行うことにより、管理端末は家電機器の消費電力を個別電力計により定期的に収集し蓄積することができる。
【００２９】
第５の発明は、第１から４の発明いずれかに記載の電力測定システムにおいて、
前記管理端末は、前記電力測定結果および任意に指定された２つの時刻により定まる期間の前記累積消費電力を表示させる表示部を有するものである。
【００３０】
第６の発明は、１つ以上の家電機器と、各該家電機器に対応して設けられて該家電機器の消費電力を測定する個別電力計とを、該個別電力計のそれぞれと電力線を介して通信することにより、各測定結果を蓄積する管理端末とを備えた電力測定システムの測定方法であって、
前記個別電力計で行われる、前記個別電力計に対応する家電機器の瞬間消費電力および累積消費電力を測定し、前記瞬間消費電力および前記累積消費電力を測定した各々の時刻とともに電力測定結果として出力するステップと、
前記管理端末で行われる、各個別電力計の前記測定結果に基づいて、任意に指定された２つの時刻により定まる期間の累積消費電力を、前記２つの時刻にそれぞれ測定された前記累積消費電力の差から算出するステップとを備えたことを特徴とする電力測定システムの測定方法である。
【００３１】
管理端末の単位時間当たりの累積消費電力の算出は、各家電機器の各時刻の累積消費電力を得たことで、ある時刻と他の時刻の２つの時刻で指定した任意期間の累積消費電力を２つの時刻の累積消費電力の差から得る。
【００３２】
また管理端末は、電力測定結果から、各家電機器の累積消費電力を加算して、全ての家電機器の累積消費電力を算出することも可能となる。
【００３３】
本発明により、家電機器ごとの消費電力を具体的に測定可能になり、測定に基づいて各々の家電機器の消費電力の使用傾向の把握も可能となる。
【発明の効果】
【００３４】
本発明によれば、家電機器ごとの消費電力を測定し、電力測定結果を電力線搬送波通信により送受信することのできる電力測定システムを得られる。
【発明を実施するための最良の形態】
【００３５】
本発明を実施するための形態について図面を参照して詳細に説明する。
【００３６】
図１は、本実施形態の電力測定システムの構成例を示すブロック図である。
【００３７】
本実施形態の電力測定システムは、１つ以上の家電機器１６０ａ〜ｙに電力線１７０、１７０ａ〜ｚを介して電力がそれぞれ供給され、家電機器１６０ａ〜ｙの消費電力を測定するシステムである。
【００３８】
本電力測定システムは、電力を供給し電力線搬送波通信を行う電力線１７０、１７０ａ〜ｚと、電力線１７０、１７０ａ〜ｚがそれぞれ接続され家屋内に設けられた宅内コンセント１７５ａ〜ｚと、家電機器１６０a〜ｙごとに設けられ家電機器１６０ａ〜ｙの瞬間消費電力および累積消費電力を測定し測定した時刻とともに電力測定結果として出力する個別電力計１２０ａ〜ｙと、個別電力計１２０ａ〜ｙから出力された電力測定結果を個別電力計１２０ａ〜ｙから出力された電力測定結果を電力線搬送波通信により電力線１７０、１７０ａ〜ｙにそれぞれ送信する第１の電力線搬送波通信モデム１５０ａ〜ｙと、第１の電力線搬送波通信モデム１５０ａ〜ｙから送信された電力測定結果を電力線１７０、１７０ａ〜ｚを介して受信する第２の電力線搬送波通信モデム１５０ｚと、第２の電力線搬送波通信モデム１５０ｚで受信した電力測定結果を格納する記憶媒体１５５ａ〜ｙを備え、記憶媒体１５５ａ〜ｙに格納された電力測定結果により、単位時間当たりの各々の家電機器１６０ａ〜ｙの累積消費電力を算出する管理端末１１０と、を備えて構成されている。
【００３９】
電力線１７０、１７０ａ〜ｚは宅内コンセント１７５ａ〜ｚに接続されており、宅内コンセント１７５ｚは電力線搬送波通信モデム１５０ｚに接続されており、電力線搬送波通信モデム１５０ｚは管理端末１１０に接続されている。
【００４０】
宅内コンセント１７５ａは電力線搬送波通信モデム１５０ａに接続されており、電力線搬送波通信モデム１５０ａは個別電力計１２０ａに接続されており、個別電力計１２０ａは家電機器１６０ａに接続されている。
【００４１】
同様に宅内コンセント１７５ｂは電力線搬送波通信モデム１５０ｂに接続されており、電力線搬送波通信モデム１５０ｂは個別電力計１２０ｂに接続されており、個別電力計１２０ｂは家電機器１６０ｂに接続されている。
【００４２】
このように、符号の数字の後ろに付加されたサフィックス（アルファベットの小文字ａ〜ｙ）が同じものは、同じサフィックスの付加された構成品と接続されている。
【００４３】
例えば、サフィックスがｃである電力線搬送波通信モデム１５０ｃは個別電力計１２０ｃに接続されており、個別電力計１２０ｃは家電機器１６０ｃに接続されている。
【００４４】
同様に、宅内コンセント１７５ｙは電力線搬送波通信モデム１５０ｙに接続されており、電力線搬送波通信モデム１５０ｙは個別電力計１２０ｙに接続されており、個別電力計１２０ｙは家電機器１６０ｙに接続されている。
【００４５】
管理端末１１０は、パーソナルコンピュータなどの一般的な演算、数値計算、データ管理ができる端末であるとよい。
【００４６】
管理端末１１０は、空いている宅内コンセント１７５ｚに第２の電力線搬送波通信モデム１５０ｚを介して接続されるとよい。
【００４７】
管理端末１１０は第２の電力線搬送波通信モデム１５０ｚと接続されることで、電力線１７０ａ〜ｚを介して他の第１の電力線搬送波通信モデム１５０ａ〜ｙと電力線搬送波通信を行うことができる。
【００４８】
管理端末１１０は、電力測定結果送信要求を第２の電力線搬送波通信モデム１５０ｚに出力する。
【００４９】
電力測定結果送信要求は、管理端末１１０から第２の電力線搬送波通信モデム１５０ｚ、電力線１７０、１７０ａ〜ｚを介して、第１の電力線搬送波通信モデム１５０ａ〜ｙに対してブロードキャストパケットにより送信される。
【００５０】
電力測定結果送信要求の内容は、個別電力計１２０ａ〜ｙから第１の電力線搬送波通信モデム１５０ａ〜ｙに出力された電力測定結果を、第１の電力線搬送波通信モデム１５０ａ〜ｙから第２の電力線搬送波通信モデム１５０ｚに対して送信させる旨を、第１の電力線搬送波通信モデム１５０ａ〜ｙに要求する内容（問い合わせ）である。
【００５１】
管理端末１１０は、電力測定結果送信要求に応じて第１の電力線搬送波通信モデム１５０ａ〜ｙから第２の電力線搬送波通信モデム１５０ｚに送信された応答パケットに含まれる電力測定結果を受信すると、電力測定結果をデータ蓄積部１１２に蓄積する。
【００５２】
管理端末１１０は、必要に応じて電力測定結果をデータ蓄積部１１２から読み出して、各家電機器１６０ａ〜ｙの単位時間当たりの累積消費電力を算出して出力し、管理端末１１０の表示部１１１に表示させる機能を有する。
【００５３】
管理端末１１０は、各家電機器１６０ａ〜ｙの各時刻の累積消費電力を得たことで、ある時刻と他の時刻で指定した任意期間の累積消費電力を２つの時刻の累積消費電力の差から算出する。
【００５４】
個別電力計１２０ａ〜ｙは、各々接続された家電機器１６０ａ〜ｙの消費電力を随時測定する電力測定機能を有し、家電機器１６０ａ〜ｙの各時刻における瞬間消費電力および累積消費電力の測定を行う。
【００５５】
個別電力計１２０ａ〜ｙは、測定した瞬間消費電力および累積消費電力ならびに測定時刻を電力測定結果としてそれぞれ第１の電力線搬送波通信モデム１５０ａ〜ｙに出力する機能を有する。
【００５６】
第１の電力線搬送波通信モデム１５０ａ〜ｙおよび第２の電力線搬送波通信モデム１５０ｚは、Ｘ．１０などの電力線データ通信プロトコルが使用されることにより、同様に電力線データ通信プロトコルを有した電力線搬送波通信モデムとの間でパケット通信による電力線搬送波通信を行うことが可能な通信モデムの機能を有する。
【００５７】
第１の電力線搬送波通信モデム１５０ａ〜ｙおよび第２の電力線搬送波通信モデム１５０ｚから送信するパケットには、それぞれパケットを送信した電力線搬送波通信モデム１５０ａ〜ｚを示す発信元が記載されている。
【００５８】
パケットの発信元の記載により、送信されたパケットが、どの第１の電力線搬送波通信モデム１５０ａ〜ｙから送信されたパケットかが判明する。
【００５９】
各パケットは、第１の電力線搬送波通信モデム１５０ａ〜ｙに対応する個別電力計１２０ａ〜ｙからの電力測定結果を含んでいることを示している。
【００６０】
送信されたパケットが、第２の電力線搬送波通信モデム１５０ｚから送信されたパケットであると判明した場合、パケットは第２の電力線搬送波通信モデム１５０ｚに接続された管理端末１１０から出力された第１の電力線搬送波通信モデム１５０ａ〜ｙに対してのブロードキャストの電力測定結果送信要求（問い合わせ）であることを示している。
【００６１】
当然、第１の電力線搬送波通信モデム１５０ａ〜ｙを示す発信元の代わりに、パケット内に消費電力を測定した個別電力計１２０ａ〜ｙ、消費電力が測定された家電機器１６０ａ〜ｙを示す識別符号が記載されていてもよい。
【００６２】
電力線搬送波通信モデム１５０ａ〜ｚは、宅内コンセント１７５ａ〜ｚに接続が可能な図示しないプラグを備えており、プラグを宅内コンセント１７５ａ〜ｚに接続することで、電力線１７０、１７０ａ〜ｚを介して電力線搬送波通信を行うことができる。
【００６３】
電力線搬送波通信モデム１５０ａ〜ｙは、それぞれ個別電力計１２０ａ〜ｙに接続されることにより、個別電力計１２０ａ〜ｙから出力された電力測定結果に対して電力線搬送波通信のための変調を掛け、電力線搬送波を電力線１７０、１７０ａ〜ｚに出力する機能を有する。
【００６４】
電力線搬送波通信モデム１５０ｚは、管理端末１１０に接続されることにより、管理端末１１０から出力された電力測定結果送信要求に対して電力線搬送波通信のための変調を掛け、電力線搬送波を電力線１７０、１７０ａ〜ｚに出力する機能を有する。
【００６５】
電力線搬送波通信モデム１５０ａ〜ｚは、それぞれ記憶媒体１５５ａ〜ｚを有しているとよく、個別電力計１２０ａ〜ｙから出力された電力測定結果を記憶媒体１５５ａ〜ｙに一時的に記憶し、管理端末１１０から出力された電力測定結果送信要求を一時的に記憶媒体１５５ｚに記憶する。
【００６６】
電力線１７０、１７０ａ〜ｚは、一般的に市中に敷設されたり家屋内に配線され周波数５０Ｈｚまたは６０Ｈｚの交流電力を伝送する電力線路であり、さらに電力線１７０、１７０ａ〜ｚにより交流電力よりも高い周波数の信号を重畳させて電力線搬送波通信を行うことができる。
【００６７】
家電機器１６０ａ〜ｙは、家庭内で一般に用いられる電気機器全般を含み、冷蔵庫、洗濯機、電子レンジ、炊飯器、炬燵、照明など商用電源により稼働するもの全般を含む。
【００６８】
宅内コンセント１７５ａ〜ｚは、家屋内の壁などに埋め込まれた従来よりあるコンセントである。
【００６９】
本実施形態の電力測定システムにおいては、第１の電力線搬送波通信モデム１５０ａ〜ｙまたは第２の電力線搬送波通信モデム１５０ｚに設けられた図示しないプラグが宅内コンセント１７５ａ〜ｚに差し込まれることで、電力線搬送波通信モデム１５０ａ〜ｚは電力線１７０ａ〜ｚに接続される。
【００７０】
次に、本実施形態の電力測定システムの動作について説明する。
【００７１】
図１に示した構成による電力測定システムにおいて、家電機器１６０ａ〜ｙのいずれかに電源が入っており、１つ以上の家電機器１６０ａ〜ｙが稼働している状態であるとする。
【００７２】
電力線１７０、宅内コンセント１７５ａ〜ｙから供給された電力はそれぞれ、宅内コンセント１７５ａ〜ｙから第１の電力線搬送波通信モデム１５０ａ〜ｙ、個別電力計１２０ａ〜ｙを順次介して、家電機器１６０ａ〜ｙに供給される。
【００７３】
電力線１７０、宅内コンセント１７５ｚから供給された電力は、宅内コンセント１７５ｚから電力線搬送波通信モデム１５０ｚを介して、管理端末１１０に供給される。
【００７４】
家電機器１６０ａ〜ｙで消費された電力は、各々個別電力計１２０ａ〜ｙにより測定され、電力測定結果として各々第１の電力線搬送波通信モデム１５０ａ〜ｙに出力される。
【００７５】
第２の電力線搬送波通信モデム１５０ｚは、電力線１７０、１７０ａ〜ｚを介して、例えば１０数秒程度の間隔で各第１の電力線搬送波通信モデム１５０ａ〜ｙへブロードキャスト送信するパケットにより電力測定結果送信要求（問い合わせ）を送る。
【００７６】
第２の電力線搬送波通信モデム１５０ｚから送信された電力測定結果送信要求を受信した第１の電力線搬送波通信モデム１５０ａ〜ｙは、電力線１７０、１７０ａ〜ｚを介して、第２の電力線搬送波通信モデム１５０ｚへ送信する応答パケットにより各々電力測定結果を送る。
【００７７】
管理端末１１０は、各第１の電力線搬送波通信モデム１５０ａ〜ｙから送信された電力測定結果をどの家電機器１６０ａ〜ｙの電力測定結果か分かるようにした後に、データ蓄積部１１２にそれぞれ蓄積する。
【００７８】
管理端末１１０は、管理端末１１０に任意の時刻およびその時刻の瞬間消費電力と累積消費電力を表示させたい家電機器１６０ａ〜ｙが入力されることで、入力された時刻における家電機器１６０ａ〜ｙの瞬間消費電力および累積消費電力をデータ蓄積部１１２から読み出し、読み出した家電機器１６０ａ〜ｙの電力測定結果を管理端末１１０の表示部１１１に表示させる。
【００７９】
管理端末１１０は、管理端末１１０に任意の期間（または、単位時間当たり）および累積消費電力を表示させたい家電機器１６０ａ〜ｙが入力されることで、該当する任意の期間（または、単位時間当たり）の電力測定結果をデータ蓄積部１１２から読み出す。
【００８０】
管理端末１１０は、入力された任意の期間（または、単位時間当たり）における家電機器１６０ａ〜ｙの累積消費電力を算出して、管理端末１１０の表示部１１１に表示させる。
【００８１】
管理端末１１０は、算出した単位時間当たりの累積消費電力を、どの家電機器１６０ａ〜ｙの単位時間当たりの累積消費電力か分かるようにして、データ蓄積部１１２に蓄積する。
【００８２】
このように、本電力測定システムは、上記において説明したように各家電機器１６０ａ〜ｙの消費電力を測定することにより消費電力の多い家電機器１６０ａ〜ｙを特定したり、特定された消費電力の多い家電機器１６０ａ〜ｙに対して節電対策を講じるような測定に利用することが可能となる。
【００８３】
管理端末１１０は、測定した時刻までの各家電機器１６０ａ〜ｙの累積消費電力をそれぞれ得ており、得た各家電機器１６０ａ〜ｙの同じ測定時刻における累積消費電力を加算することにより、従来積算電力計（図２の積算電力計２９０を参照）で行っている世帯ごとの累積消費電力の測定の代わりに、ある時刻の累積消費電力を得ることも可能となる。
【００８４】
当然、本電力測定システムで得られた累積消費電力は、上記に説明したように求められるため、指定するある時刻からある時刻までで規定される任意の期間の家屋内の全ての家電機器１６０ａ〜ｙの累積消費電力を得ることも可能となる。
【００８５】
管理端末１１０は、得られた家屋内の全ての家電機器１６０ａ〜ｙの任意の期間の累積消費電力を表示部１１１に表示させることもできる。
【００８６】
本電力測定システムは、各宅内コンセント１７５ａ〜ｙごとの瞬間消費電力および累積消費電力意を個別に測定して記録することができるため、家電機器１６０ａ〜ｙが接続されていない宅内コンセント１７５ａ〜ｙの消費電力が個別電力計１２０ａ〜ｙで観測されるような場合には、漏電などの可能性などもあり、漏電の検知のためにも利用することができる。
【００８７】
以上説明したように、本発明によれば次のような優れた効果を得られる。
（１）本電力測定システムは、使用される家電機器の各時刻の瞬間消費電力および累積消費電力を個別に測定することができる。
（２）本電力測定システムは、測定した家電機器の瞬間消費電力と累積消費電力とを測定した時刻とともに電力測定結果として得て、電力測定結果を用いて各々の家電機器の単位時間あたりの累積消費電力（任意期間の累積消費電力）を得られる。
（３）本電力測定システムは、各々の家電機器について随時瞬間消費電力および累積消費電力を測定して得た電力測定結果を管理端末で一括して収集し、収集したデータを利用することができる。
（４）本電力測定システムは、家庭用を想定しており戸別に設置可能な簡素な構成となっており、従来の測定システムのような大掛かりな装置を導入する必要がない。
【００８８】
上記の実施形態を実施するにあたり、電力測定結果の収集、単位時間当たりの累積消費電力の算出と並行して、家電機器１６０ａ〜ｙの使い方をカメラなどで撮影して記録し、本電力測定システムにより得られた電力測定結果および単位時間当たりの累積消費電力と照合することにより、どういった使い方をしているときに消費電力が多く、どういった使い方をしているときに消費電力が少ないのかといった使用の傾向を調査することにも利用できる。
【００８９】
なお、本電力測定システムは、各家電機器１６０ａ〜ｙごとに消費電力を測定し、電力測定結果を電力線搬送波通信により送信しているが、個別電力計を、電力線搬送波通信の代わりに設置された例えば有線ＬＡＮ／無線ＬＡＮに接続し、同じく有線ＬＡＮ／無線ＬＡＮに接続された管理端末に電力測定結果を送信して、管理端末で電力測定結果を収集し、単位時間当たりの累積消費電力を算出してもよい。
【００９０】
本電力測定システムは、電力線搬送波通信のモデムを一般の宅内コンセント１７５ａ〜ｙに接続することとしたが、このような構成の代わりに、個別電力計１２０ａ〜ｙ、第１の電力線搬送波通信モデム１５０ａ〜ｙを各々の家電機器１６０ａ〜ｙ内に内蔵し、家電機器１６０ａ〜ｙのプラグを宅内コンセント１７５ａ〜ｙに接続することにより、電力線搬送波通信を行うことが可能な構成としてもよい。
【図面の簡単な説明】
【００９１】
【図１】本実施形態の電力測定システムの構成例を示すブロック図である。
【図２】従来の電力測定の構成を示すブロック図である。
【符号の説明】
【００９２】
１１０    管理端末
１１１    表示部
１１２    データ蓄積部
１２０ａ〜ｙ    個別電力計
１５０ａ〜ｙ    電力線搬送波通信モデム（第１の電力線搬送波通信モデム）
１５０ｚ    電力線搬送波通信モデム（第２の電力線搬送波通信モデム）
１５５ａ〜ｚ    記憶媒体
１６０ａ〜ｙ    家電機器
１７０、１７０ａ〜ｚ    電力線
１７５ａ〜ｚ    宅内コンセント
２６０ａ〜ｚ    家電機器
２７０    電力線
２７５ａ〜ｚ    宅内コンセント
２８０    分電盤
２９０    電力会社設置の積算電力計
【図１】
2007225374.tif 000003
【図２】
2007225374.tif 000004